(57)【要約】      （修正有）【課題】遠隔地の状況を視覚的、聴覚的に把握し、遠隔指示を可能とするカメラ系、音声系、遠隔制御系並びに所要の電源を総合的に収納し、接続調整を完了した状態のまま、収納し、機動性があり防水、防滴性も有する遠隔監視システム用筐体。【解決手段】情報授受に必要とするカメラ系、音声系、ワイヤレス通信系、制御系及び電源系機器を一連のシステムとして接続調整して防滴構造を有する筐体に納めて保存し、使用時にはカメラ部を繰り出すのみで運用可能とし、撤収移動にはカメラ部を収納する作業のみ必要とするような、準備、運搬、設定、撤収に即応性のある遠隔映像監視システム用筐体である。【選択図】図１
0003117557.tif 000002
【実用新案登録請求の範囲】
【請求項１】
遠隔地に設置して、映像・音声システム端末及び自立電源を収納し、通信用及び電源用接続ケーブルを接続することなく、軽易な作業で現場に設置可能な遠隔映像監視システム用筐体。
【請求項２】
本部等からの遠隔制御により垂直、水平方向に向きを変えることのできるカメラハウスを取付け、カメラハウスは、運搬・保管時には筐体内部に折り畳むことができ、本部等と現地間の伝達用のスピーカー及びマイクロホンを装着しており、交流・直流変換機と電池を内蔵して、外部からの充電が可能であり、またこの電源から交流又は直流を内蔵する機器に供給を可能とする、遠隔映像監視システム用筐体。
【請求項３】
請求項１及び請求項２の遠隔映像監視システム用筐体は、キャスターを下部に取付けて運搬・移動の便を図り、カメラハウスの向きを９０度変えることができるよう遠隔映像監視システム用筐体背面には、ゴムブッシングを取付けて、横置きを可能とし、さらに、屋外、雨天時にも使用可能とする防滴構造を有する。
【考案の詳細な説明】
【技術分野】
【０００１】    本考案は、遠隔地に設置して現場の映像・音声情報を、本部等と授受する為の通信システム、映像システム及びこれの為の電源をすべて総合して内部に実装して、携帯電話等の利用によりケーブルレスで使用可能な防滴機能を有する遠隔映像監視システム用筐体に関するものである。
【背景技術】
【０００２】    遠隔地の状況を視覚的に把握するカメラ系や、カメラ系の遠隔制御、音声の伝送制御を実施する制御系及び無線通信系並びにこれらの作動に必要な電源系については、それぞれ既存する技術として製品化されているが、これらを統合した利便性のよいシステムとして構成する筐体は今まで見られなかった。【０００３】    カメラ、カメラの遠隔制御系、音声の伝送と制御系、無線通信系、蓄電池と電源変換機と充電器を組合せた電源系はそれぞれ既存の技術として存在しているが、一刻を争う災害対策等の場合にこれらを個々に運搬して現場でセットアップする場合には、組立調整に時間を要すること、構成部品の不足及び各機器の接続ケーブル等の不適合によるシステム構成不能のおそれがあること並びに構成機器ごとに複数の技術者を必要とするなど設定の面で緊急的対策に馴染まない面が多くあった。また、屋外設置を考慮した防滴構造を有するものが見当たらず、なお且つ長期間のシステム設定の場合、これに対応して内蔵電池の充電を可能とするような利便性のよいものが見当たらなかった。【０００４】    遠隔映像監視システム用筐体は、使用時にあってはカメラハウスを外部に突き出して、視野を確保し、収納・運搬時にあってはカメラハウスを内部に収納して保護するとともに破損を防止し、運搬の便をはかるようなものが存在していなかった。
【考案の開示】
【考案が解決しようとする課題】
【０００５】    解決しようとする課題は、次のとおりである。【０００６】    遠隔地に設置して、カメラを遠隔操作して映像伝送し、音声を授受できる機器一式を電源部とともに収納すること。【０００７】    気象条件に対応するため、防水・防滴構造を有すること。【０００８】    カメラは視野が水平垂直方向に向きを変えることができること。また、運搬・収納にあたっては外部からの損傷を防ぐこと。【０００９】    運搬、設置が便利なよう二段取手を取り付けること。【００１０】    電池電源を有し、電源変換器によって内蔵する各種機器に電力を供給することができ、外部交流電源から受電して電池の充電も可能とすること。
【課題を解決する為の手段】
【００１１】    映像伝送に使用するカメラは方向制御機構に取付けた状態で、透明なカメラハウスに収納され、支持台と共に折り畳んで本体内に収納可能とする。
【００１２】    本体は、使用時、保管時とも防滴構造とする。
【００１３】    携帯電話端末、ターミナルアダプター、会議システム、電源部、マイク、スピーカなどはすべて防振対策を施して筐体内に収納する構造とし、ワイヤレスで動作可能とする。
【００１４】    本筐体の長時間使用及び備蓄時における電源の保守を考慮して、外部電源から内蔵電池を充電できる構造とする。このためのケーブルを内蔵し、防滴構造の取出孔を備える。
【００１５】    運搬時の利便を考慮して、本体底面にキャスターを取付け、側面には二段取手を取付け、本体背面後方には、横置時に使用できるゴム足を取付ける。
【考案の効果】
【００１６】    考案が解決しようとする課題に述べた各項目を実現することにより、現場に遠隔映像監視システム用筐体を運搬し、設置して映像、音声伝送する場合に、対候性、耐震性にすぐれ、設置は容易であり、ケーブル類の接続を必要としないで映像音声を伝送できる遠隔映像監視システムを構成することができる。また、小型化によって運搬、保管は容易であり、すべての機器を内部に備える構造であるので、保管時における保守も容易となる利点がある。
【実施例】
【００１７】    図１は使用時の前方斜視図である。１カメラハウスは本体上部に設置され、４マイク、５スピーカを前面に取付け、本体上部に６取手を、本体側面には１２二段取手を取付けている。１１カメラハウス収納時の上蓋は図３カメラハウス収納時前方斜視図に示すようにカメラ支持物を通す切り欠き部分をふさぎ１３パチン錠でロックする。【００１８】    図２はカメラハウス内蔵時の各機器配置例である。本体中央部に７携帯電話端末、８ターミナルアダプター、９会議システムを実装し、２前蓋には、折り曲げ収納した１カメラハウス、４マイク、５スピーカを実装可能とする。また、本体後方部には電源部を実装可能とする。空きスペースには附属品、附属ケーブル、マニュアル等を収納する。【００１９】    図３はカメラハウス収納時の前方斜視図である。遠隔映像監視システム用筐体を保管する時及び運搬移動時には、この形状となる。【００２０】    図４はカメラハウス収納時の後方斜視図である。本体背面には、防水蓋の内側に充電等に用いるケーブル取出孔を設けている。また、背面四隅にゴム足を取付けこの面を底面にして、筐体を設置することができる。
【図面の簡単な説明】
【００２１】
【図１】    使用時の前方斜視図
【図２】    カメラ内蔵時各機器配置例
【図３】    カメラハウス収納時前方斜視図
【図４】    カメラハウス収納時後方斜視図
【符号の説明】
【００２２】１    カメラハウス
２    前蓋
３    本体部
４    マイク
５    スピーカ
６    取手
７    携帯電話端末
８    ターミナルアダプター
９    会議システム
１１  カメラハウス収納時の上蓋
１２  二段取手
１３  パチン錠
１４  キャスタ
１５  ゴム足
１６  ケーブル取出孔（防水蓋付）
【図１】
0003117557.tif 000003
【図２】
0003117557.tif 000004
【図３】
0003117557.tif 000005
【図４】
0003117557.tif 000006
【手続補正書】
【提出日】平成17年6月2日(2005.6.2)
【手続補正１】
【補正対象書類名】実用新案登録請求の範囲
【補正対象項目名】請求項３
【補正方法】変更
【補正の内容】
【請求項３】
筐体には、キャスターを下部に取付けて運搬・移動の便を図り、カメラハウスの向きを９０度変えることができるよう遠隔映像監視システム用筐体背面には、ゴムブッシングを取付けて、横置きを可能とし、さらに、屋外、雨天時にも使用可能とする防滴構造を有する遠隔映像監視システム用筐体。
【手続補正書】
【提出日】平成17年9月15日(2005.9.15)
【手続補正１】
【補正対象書類名】実用新案登録請求の範囲
【補正対象項目名】全文
【補正方法】変更
【補正の内容】
【実用新案登録請求の範囲】
【請求項１】
映像監視用カメラを収納した折り畳み可能なカメラハウスを取り付け、内部に会議システム、マイクロホン、スピーカー、携帯電話端末及びターミナルアダプターを取り付け、これらの機器に電源を供給する電池と充電機能を持った自立電源を組み込んで、接続、調整を完了した状態とすることが出来る遠隔映像監視システム用筐体。
【請求項２】
カメラハウス内のカメラは左右、上下方向に視野を変化する駆動装置を取り付けて遠隔制御できる構造を有し、且つカメラハウス自体を使用しないときは、折畳んで内部に収納できる構造とし、内部に会議システム、マイクロホン、スピーカー、携帯電話端末及びターミナルアダプターを取り付け、これらの機器に電源を供給する充電可能な自立電源を取り付けて、総合的に接続、調整を完了した状態とすることが出来る、遠隔映像監視システム用筐体。
【請求項３】
非使用時には筐体内に収納可能なカメラハウスを取り付け、内部に会議システム、マイクロホン、スピーカー、携帯電話端末及びターミナルアダプターを取り付け、これらの機器に必要な電源を供給する自立電源を取り付けて接続調整を完了した筐体の外面構造は、カメラハウスの使用時、収納時とも、防水、防滴構造を有し、下部にキャスターを取り付け、側面にはゴム緩衝材を取り付けた遠隔映像監視システム用筐体。